(57)【要約】 【課題】人体局部への熱による過剰な刺激を抑制しつつ、人体局部へ効果的に遠赤外線を照射することができる温熱治療器を提供する。【解決手段】平面視略杓文字形の本体２の開口３内に収容されるヒーター５と、ヒーター５から離間して開口３に設けられ外面を人体局部に当てられる楕円形ドーム状のガラスカバー６と、ガラスカバー６の微細凹凸面である内面に薄膜状に塗設される遠赤外線放射層７とを備え、ガラスカバー６内のヒーター発熱面５ａと薄膜状の遠赤外線放射層７との間に空間９を形成する温熱治療器。【選択図】図３
0003112041.tif 000002
【実用新案登録請求の範囲】
【請求項１】
ヒーターと、ヒーターの外側に設けられ、外面を人体局部に当てられる熱伝導性が低いドーム状の遠赤外線透過カバーと、遠赤外線透過カバーの微細凹凸面である内面に塗設される遠赤外線放射層とを備えることを特徴とする温熱治療器。
【請求項２】
前記遠赤外線透過カバー内のヒーターと遠赤外線放射層との間に空間が形成されていることを特徴とする請求項１記載の温熱治療器。
【請求項３】
前記遠赤外線透過カバー内のヒーターと遠赤外線放射層との間に別の遠赤外線放射層が設けられていることを特徴とする請求項１記載の温熱治療器。
【請求項４】
前記遠赤外線透過カバーの内面の凹曲面に沿ってヒーターの発熱面を密接させて設けることを特徴とする請求項１記載の温熱治療器。
【考案の詳細な説明】
【技術分野】
【０００１】
本考案は、主として人体の局部に加温して遠赤外線を照射する温熱治療器に関する。
【背景技術】
【０００２】
人体の局部に加温して遠赤外線を照射する温熱治療器として、特許文献１の温熱治療器がある。特許文献１の温熱治療器は、筒体の上端に固定されるアルミニウム等の半球状金属上蓋の外表面に、アルミナ、マグネシア、ジルコニア等のセラミックス粒子をコーティングして遠赤外線放射層を設けると共に、前記金属上蓋の裏面側に発熱体を一体的に固定して設けるものである。
【０００３】
【特許文献１】実開平２−１４１４４５号全文明細
【考案の開示】
【考案が解決しようとする課題】
【０００４】
ところで、特許文献１の温熱治療器は、熱伝導率のよいアルミニウム等の金属上蓋と、その外表面に薄くコーティングされた遠赤外線放射層を介して、発熱体の熱が人体に伝わるため、人体局部への熱による刺激が強すぎるという不具合がある。そのため、人体局部への熱による過剰な刺激を抑制しつつ、人体局部へ効果的に遠赤外線を照射することができる温熱治療器が求められている。
【０００５】
本考案は上記課題に鑑み提案するものであって、人体局部への熱による過剰な刺激を抑制しつつ、人体局部へ効果的に遠赤外線を照射することができる温熱治療器を提供することを目的とする。
【課題を解決するための手段】
【０００６】
本考案の温熱治療器は、ヒーターと、ヒーターの外側に設けられ、外面を人体局部に当てられる熱伝導性が低いドーム状の遠赤外線透過カバーと、遠赤外線透過カバーの微細凹凸面である内面に塗設される遠赤外線放射層とを備えることを特徴とする。遠赤外線透過カバーは、例えば遠赤外線を透過する透明なガラスカバー若しくは樹脂カバー等とする。
【０００７】
更に、本考案の温熱治療器は、前記遠赤外線透過カバー内のヒーターと遠赤外線放射層との間に空間が形成されている構成、又は、前記遠赤外線透過カバー内のヒーターと遠赤外線放射層との間に別の遠赤外線放射層が設けられている構成、又は、前記遠赤外線透過カバーの内面の凹曲面に沿ってヒーターの発熱面を密接させて設ける構成とすることを特徴とする。
【考案の効果】
【０００８】
本考案の温熱治療器は、熱伝導率の低い遠赤外線透過カバーでヒーターの発熱の熱伝導が弱められるので、人体局部への熱による過剰な刺激を抑制することができると共に、遠赤外線透過カバーの内面に遠赤外線放射層を塗設することにより、大きな表面積の遠赤外線放射層を確保し、遠赤外線透過カバーを当てる人体局部へ効果的に遠赤外線を照射することができる。更に、遠赤外線透過カバーの微細凹凸面に遠赤外線放射層を設けるので、遠赤外線放射層を強固に固着することができる。
【０００９】
また、遠赤外線透過カバーに遠赤外線放射層を塗設し、別の遠赤外線放射層を設けない場合には、高価な遠赤外線放射材を使用量を抑制することができ、低コスト化を図ることができる。更に、薄膜状の遠赤外線放射層として、遠赤外線の放射量を遠赤外線透過カバーの全面に亘って平均化することができる。
【００１０】
また、遠赤外線透過カバー内のヒーターと遠赤外線放射層との間に空間を形成することにより、より一層熱伝導を弱めることが可能となり、人体局部への熱による過剰な刺激を一層確実に抑制することができる。他方で、遠赤外線透過カバー内に別の遠赤外線放射層を設けることにより、より確実な遠赤外線の照射を図ることが可能となる。
【考案を実施するための最良の形態】
【００１１】
以下、本考案の温熱治療器の実施形態について説明する。
【００１２】
第１実施形態の温熱治療器１は、図１〜図３に示すように、平面視略杓文字形の本体２を有し、本体２の前部に楕円形の開口３が形成されている。開口３の内部には、開口３と平面視略同形・略同サイズで中央に凹部４ａを有する断熱板４が固定して設けられていると共に、開口３と平面視略同形で僅かに小さいサイズの平板状の発熱面５ａを有するヒーター５が断熱板凹部４ａに収容して設けられ、発熱面５ａが断熱板４の前面に配置される。５ｂはヒーター５に設けられたサーミスタである。
【００１３】
ヒーター５の発熱面５ａの前方には、人体局部に当てられる平面視楕円形でドーム状のガラスカバー６が離間して設けられており、ガラスカバー６は凸曲面を前方にして周縁を開口３の周縁を嵌め込まれ、その嵌込箇所をパッキン８で封止されている。また、ガラスカバー６の凹曲面の内面には、図４に示すように、サンドブラスト加工等で微細な凸部６ａや凹部６ｂが形成されており、前記微細凹凸形状を有する内面に遠赤外線放射層７が塗布して焼き付けられ、安定して固着されている。ガラスカバー６内面の遠赤外線放射層７とヒーター５との間に空間９が形成される。
【００１４】
遠赤外線放射層７は適宜の遠赤外線放射材を用いて形成することが可能であり、例えばアルミナ、マグネシア、ジルコニア等のセラミックス、トルマリン等を単独で、若しくは２以上組み合わせて用いることができる。更に、遠赤外線放射材に、例えばトリウム、ラドンなど天然放射性稀有元素鉱物、炭素を混合して用いることも可能である。
【００１５】
また、本体２内には、断熱板４の後方に冷却ファン１０が固定して設置されている。更に、１１はヒーター５や冷却ファン１０等の駆動するための電源を供給する電源コード、１２は温熱治療器の電源のＯＮ・ＯＦＦ、ヒーター５の温度調整を制御するための操作部である。
【００１６】
上記温熱治療器を使用する場合には、操作部１２で電源をＯＮにして所定の設定温度でヒーター５を発熱させる。ヒーター５で発生した熱は、熱伝導率が低い空間９の空気を介して遠赤外線放射層７に伝わり、薄膜状の遠赤外線放射層７から熱伝導率の低いガラスカバー６を伝わり、ガラスカバー６の外表面に伝わる。従って、ガラスカバー６の外表面を当てられる人体局部への過剰な熱刺激を抑制することができる。
【００１７】
また、遠赤外線放射層７は、空間９の空気を介してヒーター５による発熱で加温され、ガラスカバー６の外表面を当てられる人体局部へ遠赤外線を照射する。この際、ガラスカバー６の略全面に亘って遠赤外線放射層７の大きな表面積を確保しているので、多量の遠赤外線の照射を行うことが可能であると共に、略均一な厚さの薄膜状の遠赤外線放射層７を用いることにより、遠赤外線の放射量をガラスカバー６の前面に亘って平均化し、更には高価な遠赤外線放射材の使用量を抑制することができる。
【００１８】
尚、本考案の温熱治療器は上記第１実施形態に限定されるものではなく、例えばガラスカバー６の内面の遠赤外線放射層７とヒーター５との間を空間とする構成に代え、図５に示す第２実施形態のように、ガラスカバー６の内側に熱伝導性のよいアルミナ粉等の遠赤外線放射材又は熱伝導性の良好な不燃物の粉末を充填し、ガラスカバー６内面の遠赤外線放射層７とヒーター５との間に、ガラスカバー６内の凹部に対応する形状の第２の遠赤外線放射層１３又は熱伝導層を設ける構成等とすることも可能である。
【００１９】
また、例えば図６に示す第３実施形態のように、ガラスカバー６内の凹曲面に遠赤外線放射層７を熔着或いは塗布して形成すると共に、ヒーター５の発熱面５ａを前記ガラスカバー６の凹曲面に合わせて湾曲して形成し、ガラスカバー６内面の遠赤外線放射層７とヒーターの発熱面５ａとを隙間無く密接して設ける構成としてもよい。前記構成では、遠赤外線放射層７と発熱面５ａを単に密接して配設する構成の他、熱伝導性のよい接着剤等で遠赤外線放射層７と発滅面５ａとを密着する構成等とすることも可能である。
【産業上の利用可能性】
【００２０】
本考案は、例えば肩など人体局部に押し当てて加温し、遠赤外線を照射する温熱治療器として利用することができる。
【図面の簡単な説明】
【００２１】
【図１】（ａ）は第１実施形態の温熱治療器の正面図、（ｂ）は第１実施形態の温熱治療器の平面図。
【図２】第１実施形態の温熱治療器の縦断面図。
【図３】第１実施形態の温熱治療器に於けるガラスカバーとヒーターの周辺領域を示す部分縦断面図。
【図４】第１実施形態の温熱治療器に於けるガラスカバーと遠赤外線放射層の積層構造を示す縦断説明図。
【図５】第２実施形態の温熱治療器に於けるガラスカバーとヒーターの周辺領域を示す部分縦断面図。
【図６】第３実施形態の温熱治療器に於けるガラスカバーとヒーターを示す部分縦断説明図。
【符号の説明】
【００２２】
１  温熱治療器
２  本体
３  開口
４  断熱板
４ａ  凹部
５  ヒーター
５ａ  発熱面
５ｂ  サーミスタ
６  ガラスカバー
６ａ  凸部
６ｂ  凹部
７、１３  遠赤外線放射層
８  パッキン
９  空間
１０  冷却ファン
１１  電源コード
１２  操作部
【図１】
0003112041.tif 000003
【図２】
0003112041.tif 000004
【図３】
0003112041.tif 000005
【図４】
0003112041.tif 000006
【図５】
0003112041.tif 000007
【図６】
0003112041.tif 000008